【事件の表示】
　特許第３２１３７９８号「化学分析装置」の請求項１、８、１０に係る特許に対する特許異議の申立てについて、次のとおり決定する。
【結　論】
　訂正を認める。
　特許第３２１３７９８号の請求項１、８、１０に係る特許を取り消す。
【理　由】
１．手続の経緯
　特許第３２１３７８９号の請求項１ないし１０に係る発明についての出願は、平成８年６月４日に出願され、平成１３年７月２７日に設定登録され、その後特許異議の申立てがなされ、取消理由通知がなされ、その指定期間内である平成１４年８月２６日に訂正請求がなされたものである。
　
２． 訂正の適否
ア． 訂正の内容
（訂正事項ａ）
　請求項１に「容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分体を捕捉する前記容器または流路の捕捉部位に沿ってスライドするように近接する磁場を定性または定量する化学分析装置において、前記結合体を吸引する磁石が、前記結合スイッチング手段を設けたことを特徴とする化学分析装置。」とあるのを、「容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、前記スイッチング手段により前記磁石が前記容器の壁面または前記流路の捕捉部位に接触されることを特徴とする化学分析装置。」と訂正する。
（訂正事項ｂ）
　請求項２に「請求項１に記載の化学分析装置において、前記磁場スイッチング手段は、前記容器あるいは流路の側面に前記磁石を近接させる際、前記捕捉部位に沿って前記磁石を走査させる移動手段を備えたことを特徴とする化学分析装置。」とあるのを、「容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、前記磁場スイッチング手段は、前記容器あるいは流路の側面に前記磁石を近接させる際、前記捕捉部位に沿って前記磁石を走査させる移動手段を備えたことを特徴とする化学分析装置。」と訂正する。
（訂正事項ｃ）
　請求項３に「請求項１に記載の化学分析装置において、前記磁場スイッチング手段は、前記磁石を回転円盤体の一部に取り付け、前記磁石の吸引方向が回転軌跡面に対して垂直になるようにして、前記磁石の回転軌跡上に前記捕捉部位を位置させることを特徴とする化学分析装置」とあるのを、「容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、前記磁場スイッチング手段は、前記磁石を回転円盤体の一部に取り付け、前記磁石の吸引方向が回転軌跡面に対して垂直になるようにして、前記磁石の回転軌跡上に前記捕捉部位を位置させることを特徴とする化学分析装置。」と訂正する。
　
イ．訂正の目的の適否、新規事項の有無および拡張・変更の存否
　上記訂正事項ａは、特許請求の範囲の限縮を目的とし、しかも訂正後の構成は願書に添付された明細書の【００１７】や【００２２】、【００２３】に記載されており、新規事項の追加に該当しない。また、上記訂正事項ｂ、ｃは、請求項１を上記訂正事項ａのように訂正したことに伴い、引用形式を非引用形式に書き換えたものであるから明りょうでない記載の釈明を目的とした明細書の訂正に該当し、新規事項の追加に該当しない。
　そして、いずれの訂正も、実質的に特許請求の範囲を拡張又は変更するものではない。
　
ウ．結び
　したがって、上記訂正は、特許法第１２０条の４第２項および第３項で準用する特許法第１２６条第２〜４項の規定に適合するので、当該訂正を認める。
　
２． 特許異議の申立てについての判断
（１） 請求項１、８，１０に係る発明
　本件特許の請求項１、８，１０に係る発明は、それぞれ訂正明細書の特許請求の範囲の請求項１、８，１０に記載された次の事項により特定されるとおりのものである（以下、「本件発明１」、「本件発明８」、「本件発明１０」という。）。
「【請求項１】容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、前記スイッチング手段により前記磁石が前記容器の壁面または前記流路の捕捉部位に接触されることを特徴とする化学分析装置。」
　
「【請求項８】請求項１に記載の化学分析装置において、前記磁場スイッチング手段は、前記磁石を平行移動台に取り付け、前記磁石の吸引方向が前記平行移動台の移動方向に対して垂直になるようにして、前記磁石の平行移動する軌跡上に前記捕捉部位を位置させることを特徴とする化学分析装置。」
　
「【請求項１０】請求項１ないし９のうちいずれかに記載の化学分析装置において、前記磁石により捕捉した結合体の分析は、比濁法、蛍光法、化学発光、電気化学発光等のうちいずれかの分析方法により、前記目的成分を定性または定量することを特徴とする化学分析装置。」
　
（２） 引用刊行物
　当審が通知した取消理由に引用した刊行物（特開平０６−１６０４０１号公報）（以下、単に「刊行物」という。）には次の事項が記載されている。
＜記載ａ＞免疫化学的測定装置（第２頁左欄第２〜３２行）
「【請求項１】測定しようとする抗原または抗体に対する抗体または抗原を担持させた不溶性磁性粒子からなる第１試薬と、測定しようとする抗原または抗体とを反応容器の液体媒体中で反応させ、前記不溶性磁性粒子を磁場の作用により前記反応容器壁に付着させて前記液体媒体を除去後、さらに前記不溶性磁性粒子を洗浄した後、前記測定しようとする抗原または抗体に対する抗体または抗原を担持させた不溶性蛍光色素標識粒子からなる第２試薬と、前記抗原・抗体反応を行った前記不溶性磁性粒子とを液体媒体中で反応させ、その不溶性磁性粒子を磁場の作用により前記反応容器壁に付着させた後、前記液体媒体および非反応の不溶性蛍光色素標識粒子を除去し、次いで前記不溶性磁性粒子に反応した不溶性蛍光色素粒子の蛍光強度および／あるいは透過光強度を測定するのに用いる装置であって、回転テーブルの全周縁に亘って反応容器を装着または脱着する容器セット部が形成されるとともに、前記各反応容器間に各反応容器の側面に対向する位置と側面から離れた位置とに移動可能な可動磁石が順次隣接するものの極性を反転させて配置された試料部と、前記回転テーブルの外方に、前記反応容器を前記容器セット部に装着，脱着する反応容器移動機構と、サンプル分注機構と、試薬分注機構と、前記反応容器の洗浄機構と、前記反応容器の内容物の撹拌機構と、サンプルの蛍光強度を測定する蛍光検出機構と、サンプルの透過光強度を測定する透過光検出機構および前記可動磁石の挿入機構，引抜き機構とが配置固定され、さらに、所定シーケンスに従って前記回転テーブルを回動させるとともに前記各機構をタイミングに応じて作動させる制御機構とを有する操作部と、を備えたことを特徴とする免疫化学的測定装置。」
　
＜記載ｂ＞蛍光検出機構、磁石挿入機構（第４頁左欄第１３〜２１行）
「８０Ｂは同じくサンプルの蛍光強度を測定する蛍光検出機構である。９０Ａは挿入機構で、位置〔２５〕と〔２６〕の間に対応して設けられた磁石挿入部９１と、位置〔２４〕と〔２５〕の間に対応して設けられた磁石挿入部９２とからなる。また、９０Ｂは引抜き機構で、位置〔６〕と〔５〕の間に対応して設けられた磁石引抜き部９３と、位置〔４〕と〔３〕の間に対応して設けられた磁石引抜き部９４とからなる。」
　
＜記載ｃ＞磁石挿入部（第４頁左欄第２２〜４０行）
「図２に示すのは、回転テーブル１０の部分詳細と、磁石挿入部９１（９２）との関係を示したものであり、図３に回転テーブル１０の部分平面図を、図４に同じく部分正面図を示す。これらの図において、容器セット部１１には反応容器１２が嵌着されている。回転テーブル１０の下面の周縁にはコの字型の取付具１６が設けられ、これにアーム１４の上端がピン１５により回動自在に取付けられる。アーム１４の下端には可動磁石１３が固着されている。一方、取付具１６と対向して取付具１７が同じく回転テーブル１０の下面に設けられ、これにＬ字型の磁性片１８が固着されている。
　図２により磁石挿入部９１（９２）の構成を説明する。Ｗはコイルで、通電によりプランジヤＰをばねＣに抗して吸引し、その先端突起で、可動磁石１３のアーム１４の上端を矢印方向に引張る。したがって、アーム１４は点線のように傾き、可動磁石１３は磁性片１８に接近して吸引状態となり、点線図示の状態を保つ。この状態は反応容器１２の側面に対向する位置に可動磁石１３が移動したことを示す。」
　
＜記載ｄ＞可動磁石と容器（第４頁左欄第４１〜４４行）
「図１では、磁石挿入部９１と９２が同時に作動して、２個の可動磁石１３が反応容器１２の両側面に接するような形、換言すれば可動磁石１３で反応容器１２は挟まれた形となる。」
　
＜記載ｅ＞可動磁石の前進、後退（第５頁左欄第８〜１１行）
「可動磁石１３の挿入機構９０Ａ，引抜き機構９０Ｂ等は、回動により装着，脱着を行わせたが、これらは前進，後退により行う構成等としてもよいことは言うまでもない。」
　
（３） 本件発明１について
ア． 本件発明１と刊行物に記載された発明とを対比する。
　刊行物の「測定しようとする抗原または抗体に対する抗体または抗原を担持させた不溶性磁性粒子からなる第１試薬」、「可動磁石」は、それぞれ本件発明１の「磁性粒子を有する試薬」、「磁石」に相当する。また、刊行物の「測定しようとする抗原または抗体に対する抗体または抗原を担持させた不溶性磁性粒子からなる第１試薬と、測定しようとする抗原または抗体とを反応容器の液体媒体中で反応させ、前記不溶性磁性粒子を磁場の作用により前記反応容器壁に付着させて」とある、前記反応後の「前記不溶性磁性粒子」は、本件発明１の「前記試料中の目的成分と前記磁性粒子とを結合させてできた結合体」に相当する。
　また、刊行物に記載の可動磁石の挿入機構と引抜き機構は、その回動或いは前進、後退動作により可動磁石を、測定しようとする抗原または抗体と抗原抗体反応後の不溶性磁性粒子が磁場の作用により付着される反応容器壁へ沿ってスライドするように近接させ、近接した際には磁場作用を反応容器に及ぼし、遠隔した際には磁場作用を反応容器に及ぼさない、スイッチング手段として作用する（前記記載ａ，ｃ，ｅ参照）ことから、刊行物に記載の可動磁石挿入機構は、本件発明１の「結合体を吸引する磁石が、前記結合体を捕捉する前記容器の捕捉部位に沿ってスライドするように近接する磁場スイッチング手段」に相当する。
　してみれば、本件発明１と刊行物に記載された発明とは、
＜一致点＞
「容器内の試料に、磁性粒子を有する試薬を供給し、前記試料中の目的成分と前記磁性粒子とを結合させてできた結合体を、前記容器の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設けた化学分析装置。」
である点で一致するが、次の点で相違する。
＜相違点１＞
　前者が「前記スイッチング手段により前記磁石が前記容器の壁面または前記流路の捕捉部位に接触される」ものであるのに対し、後者では前記スイッチング手段により前記容器の壁面の捕捉部位に「接するような形」となることは記載されているものの、接触しているという記載がない点。
　
イ．上記相違点１について検討する。
　刊行物には磁石挿入部が作動して可動磁石が反応容器に接するような形になることが記載されている（前記記載ｄ参照）。そして、磁石を用いて磁性粒子結合体捕捉を行っている以上、磁場を強く作用させると磁性粒子の捕捉に有利であることは、当業者にとって自明であり、また、強い磁場を得るためには磁石をできる限り近づけさせることが有利であることも当業者にとって周知であるところ、最も近づけさせた形態は「接触」させる形態である。しかも、物体同士の関係において「接する」という用語は、物体同士が接触している状態を表すために普通に使われているものである。そうすると、容器内で、試料中の目的成分と磁性粒子を有する試薬とを反応させて、該目的成分と磁性粒子とを結合させてできた結合体を容器の壁面の捕捉部位に捕捉するための磁石を、磁場スイッチング手段により該捕捉部位に接触されるものとすることは、当業者が容易に設計しうる事項である。
　
ウ．したがって、本件発明１は、刊行物に記載された発明に基いて当業者が容易に発明をすることができたものと認められる。
　
（４）本件発明８について
ア．本件発明８と、刊行物に記載された発明とを対比する。
　本件発明８は、請求項１に記載の化学分析装置において、磁場スイッチング手段を更に特定した発明であるので、本件発明８と刊行物に記載された発明とは、本件発明１の場合と同様、
＜一致点＞
「容器内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設けた化学分析装置。」
である点で一致するが、次の点で相違する。
＜相違点１＞
　前者が「前記スイッチング手段により前記磁石が前記容器の壁面または前記流路の捕捉部位に接触される」構成であるのに対し、後者では前記スイッチング手段により前記容器の壁面の捕捉部位に「接するような形」となることは記載されているものの、接触しているという記載がない点。
＜相違点２＞
　前者が「前記磁場スイッチング手段は、前記磁石を平行移動台に取り付け、前記磁石の吸引方向が前記平行移動台の移動方向に対して垂直になるようにして、前記磁石の平行移動する軌跡上に前記捕捉部位を位置させる」構成であるのに対し、後者ではそのような記載がない点。
　
イ．上記相違点１，２について検討する。
　相違点１については、上記（３）イ．において検討したとおりである。
　また、相違点２については、物品をある面に沿ってスライドさせる手段として、該面に平行な移動方向を有する平行移動台に物品を取り付けて前進、後退させることが慣用のものにすぎないから、磁場スイッチング手段を、相違点２のように、磁石を平行移動台に取り付け、前記磁石の吸引方向が前記平行移動台の移動方向に対して垂直になるようにして、前記磁石の平行移動する軌跡上に前記捕捉部位を位置させるものとするようなことは、当業者が容易に設計しうる事項である。
　
ウ．したがって、本件発明８は、刊行物に記載された発明に基いて当業者が容易に発明をすることができたものと認められる。
　
（５）本件発明１０について
ア．本件発明１０と、刊行物に記載された発明とを対比する。
　本件発明１０は、請求項１ないし９における捕捉した結合体の分析方法を特定するものであるが、刊行物には「…前記不溶性磁性粒子を磁場の作用により前記反応容器壁に付着させて前記液体媒体を除去後、さらに前記不溶性磁性粒子を洗浄した後、前記測定しようとする抗原または抗体に対する抗体または抗原を担持させた不溶性蛍光色素標識粒子からなる第２試薬と、前記抗原・抗体反応を行った前記不溶性磁性粒子とを液体媒体中で反応させ、その不溶性磁性粒子を磁場の作用により前記反応容器壁に付着させた後、前記液体媒体および非反応の不溶性蛍光色素標識粒子を除去し、次いで前記不溶性磁性粒子に反応した不溶性蛍光色素粒子の蛍光強度および／あるいは透過光強度を測定する」と、磁場により捕捉した結合体の分析は蛍光法を用いて行い、目的成分を定性または定量することが記載されている（前記記載ａ参照）。
　そして、刊行物の「測定しようとする抗原または抗体に対する抗体または抗原を担持させた不溶性磁性粒子からなる第１試薬」、「可動磁石」は、それぞれ本件発明１の「磁性粒子を有する試薬」、「磁石」に相当し、刊行物の「測定しようとする抗原または抗体に対する抗体または抗原を担持させた不溶性磁性粒子からなる第１試薬と、測定しようとする抗原または抗体とを反応容器の液体媒体中で反応させ、前記不溶性磁性粒子を磁場の作用により前記反応容器壁に付着させて」とある、前記反応後の「前記不溶性磁性粒子」は、本件発明１の「前記試料中の目的成分と前記磁性粒子とを結合させてできた結合体」に相当する。
　また、刊行物に記載の可動磁石の挿入機構と引抜き機構は、その回動或いは前進、後退動作により可動磁石を、測定しようとする抗原または抗体と抗原抗体反応後の不溶性磁性粒子が磁場の作用により付着される反応容器壁へ沿ってスライドするように近接させ、近接した際には磁場作用を反応容器に及ぼし、遠隔した際には磁場作用を反応容器に及ぼさない、スイッチング手段として作用する（前記記載ａ，ｃ，ｅ参照）ことから、刊行物に記載の可動磁石挿入機構は、本件発明１の「結合体を吸引する磁石が、前記結合体を捕捉する前記容器の捕捉部位に沿ってスライドするように近接する磁場スイッチング手段」に相当する。
　
　してみれば、本件発明１０と刊行物に記載された発明とは、
＜一致点＞
　「容器内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設けた化学分析装置において、前記磁石により捕捉した結合体の分析は、蛍光法により、前記目的成分を定性または定量することを特徴とする化学分析装置。」
である点で一致するが、次の点で相違する。
＜相違点１＞
　前者が「前記スイッチング手段により前記磁石が前記容器の壁面または前記流路の捕捉部位に接触される」構成であるのに対し、後者では前記スイッチング手段により前記容器の壁面の捕捉部位に「接するような形」となることは記載されているものの、接触しているという記載がない点。
　
イ．相違点１については、上記（３）イ．において検討したとおりである。
　
ウ．したがって、本件発明１０は、刊行物に記載された発明に基いて当業者が容易に発明をすることができたものと認められる。
　
（６） むすび
　以上のとおり、請求項１，８，１０に係る発明についての特許は、特許法第２９条第２項の規定に違反してされたものであるから、特許法第１１３条第２項に該当し、取り消されるべきものである。
　よって、結論のとおり決定する。
【異議決定日】
平成１４年１２月２日（２００２．１２．２）
【訂正の要旨】
訂正事項
ａ．本件特許発明の明細書中、特許請求の範囲の請求項１について、
「容器または流路内の試料に、磁性粒子を有する試薬を供給し、
前記試料中の目的成分と前記磁性粒子とを結合させてできた結合体を、
前記容器または流路の一部に磁石により吸引して捕捉し、
捕捉した結合体を分析することにより、前記目的成分を定性または定量する化学分析装置において、
前記結合体を吸引する磁石が、前記結合体を捕捉する前記容器または流路の捕捉部位に沿ってスライドするように近接する磁場スイッチング手段を設けたことを特徴とする化学分析装置」とあるのを、
「容器または流路内の試料に、磁性粒子を有する試薬を供給し、
前記試料中の目的成分と前記磁性粒子とを結合させてできた結合体を、
前記容器または流路の一部に磁石により吸引して捕捉し、
捕捉した結合体を分析することにより、前記目的成分を定性または定量する化学分析装置において、
前記結合体を吸引する磁石が、前記結合体を捕捉する前記容器または流路の捕捉部位に沿ってスライドするように近接する磁場スイッチング手段を設け、
前記スイッチング手段により前記磁石が前記容器の壁面または前記流路の捕捉部位に接触されることを
ｂ．本件特許発明の明細書中、特許請求の範囲の請求項２について、
「請求項１に記載の化学分析装置において、前記磁場スイッチング手段は、前記容器あるいは流路の側面に前記磁石を近接させる際、前記捕捉部位に沿って前記磁石を走査させる移動手段を備えたことを特徴とする化学分析装置。」とあるのを、
「容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、
ｃ．本件特許発明の明細書中、特許請求の範囲の請求項３について、
「請求項１に記載の化学分析装置において、前記磁場スイッチング手段は、前記磁石を回転円盤体の一部に取り付け、前記磁石の吸引方向が回転軌跡面に対して垂直になるようにして、前記磁石の回転軌跡上に前記捕捉部位を位置させることを特徴とする化学分析装置。」とあるのを、
「
容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、
（５４）【発明の名称】
化学分析装置
（５７）【特許請求の範囲】
　【請求項１】
容器または流路内の試料に、磁性粒子を有する試薬を供給し、
前記試料中の目的成分と前記磁性粒子とを結合させてできた結合体を、
前記容器または流路の一部に磁石により吸引して捕捉し、
捕捉した結合体を分析することにより、前記目的成分を定性または定量する化学分析装置において、
前記結合体を吸引する磁石が、前記結合体を捕捉する前記容器または流路の捕捉部位に沿ってスライドするように近接する磁場スイッチング手段を設け、
前記スイッチング手段により前記磁石が前記容器の壁面または前記流路の捕捉部位に接触される
　【請求項２】
容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、
　【請求項３】
容器または流路内の試料に、磁性粒子有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設け、
　【請求項４】
請求項３に記載の化学分析装置において、前記回転円盤体の回転駆動手段が、表面波回転モータであることを特徴とする化学分析装置。
　【請求項５】
請求項３に記載の化学分析装置において、前記磁石の回転軌跡上に、前記磁性粒子を含む液を連通させる複数の流路が配置されていることを特徴とする化学分析装置。
　【請求項６】
請求項３に記載の化学分析装置において、前記回転円盤体は、前記磁石と軸対象の位置に透光用の穴が設けられていることを特徴とする化学分析装置。
　【請求項７】
容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する第１の磁石が、前記結合体を捕捉する前記容器または流路の捕捉部位に沿ってスライドするように近接する第１の磁場スイッチング手段を設け、前記第１の磁場スイッチング手段は、第１の磁石を第１の回転円盤体の一部に取り付け、第１の磁石の吸引方向が回転軌跡面に対して垂直になるようにして、第１の磁石の回転軌跡上に前記捕捉部位を位置させるとともに、前記捕捉部位を挟んで第１の回転円盤体と反対側に第２の回転円盤体を設け、第２の回転円盤体に第１の磁石の回転軌跡と同一円周上でかつ異なる円周位置で第２の磁石を設け、これら第１および第２の回転円盤体を同軸で回転駆動させることにより、第１の磁石で捕捉した結合体を第２の磁石により捕捉部位から離脱させることを特徴とする化学分析装置。
　【請求項８】
請求項１に記載の化学分析装置において、前記磁場スイッチング手段は、前記磁石を平行移動台に取り付け、前記磁石の吸引方向が前記平行移動台の移動方向に対して垂直になるようにして、前記磁石の平行移動する軌跡上に前記捕捉部位を位置させることを特徴とする化学分析装置。
　【請求項９】
請求項８に記載の化学分析装置において、前記磁場スイッチング手段に対して、前記磁性粒子を含む液を連通させる複数の流路が設けられ、前記複数の流路は、各流路の磁性粒子捕捉部位が、前記磁石の平行移動経路上に位置するように配置されていることを特徴とする化学分析装置。
　【請求項１０】
請求項１ないし９のうちいずれかに記載の化学分析装置において、前記磁石により捕捉した結合体の分析は、比濁法、蛍光法、化学発光、電気化学発光等のうちいずれかの分析方法により、前記目的成分を定性または定量することを特徴とする化学分析装置。
【発明の詳細な説明】
　【０００１】
　【発明の属する技術分野】
　本発明は化学分析装置に係り、特に、試料液中の特定成分の定性・定量分析を行うのに好適な化学分析装置に関する。
　【０００２】
　【従来の技術】
　従来の磁性粒子応用の化学分析装置について、搭載されている磁性粒子捕捉手段を、図１１および図１２を参考にして説明する。このような典型的な免疫分析装置に搭載されている磁場スイッチング装置の一例を図１１に、別の例を図１２に示す。
　【０００３】
　初めに、化学分析装置の典型的な例として、免疫分析装置について説明する。一般的な免疫分析装置は、次のように動作する。まず、抗体をその周りにコーティングした磁性粒子、および蛍光色素と結合した抗体（発光標識）を懸濁させた試薬と、分析の目的とする物質を含む試料とを、反応容器に混合させる。目的とする物質の濃度以上に、磁性粒子および発光標識は懸濁されている。反応が終了すると、目的物質を架橋として磁性粒子と発光標識がリンクする。
　【０００４】
　この状態で、図１１に示すように、反応容器１４の外壁へ磁石２３を接触させ、磁場を働かせると、磁性粒子と蛍光標識と目的物質との結合体１１ａは、この磁場によって引き寄せられ、壁面の一部に捕捉（以下この部分を捕捉部位と呼ぶ）される。捕捉された状態で、洗浄液にて容器内部の余分の蛍光標識を洗い流す。その後希釈液を容器内部に導入し、磁石を容器から離脱させたのち、内部を十分に混合する。この混合液に励起光を照射すると、蛍光標識が発光するため、蛍光量を計測することで目的とする物質の量を知ることができる。
　【０００５】
　図１２に別の従来技術を示す。反応が終了した試料液を流路１４ａに連通させる。流路途中の外壁には永久磁石２３が接触しており、この部分に磁性粒子と蛍光標識と目的物質との結合体１１ａが捕捉される。試料液が通過したあと、洗浄液を流すことで余分な蛍光標識は洗い流されるため、目的とする物質を捉えた磁性粒子のみが、流路途中の捕捉部位に残る。この状態で磁石２３を離脱させ、励起光を照射すると蛍光が発生し、目的物質の量を計測することができる。
　【０００６】
　上記いずれの場合においても、測定時間の短縮のために、磁性粒子を一部に吸引するための磁石としては、磁力の強い永久磁石が用いられる。永久磁石を用いるため、磁場のスイッチングは、磁石を容器あるいは流路へ近接・離脱させる機械的動作を行う必要があるが、これに対して、図１１、図１２に示すように、従来のそれぞれの磁石駆動機構３１、３２としては、磁石２３をその軸方向に移動させて、容器あるいは流路の捕捉部位外壁に対して、図中矢印で示すように、垂直に接近・接触させる機構が用いられている。
　【０００７】
　磁石２３を容器壁面まで接近あるいは接触させる理由は、磁性粒子の吸引力は数式（１）で表わされるように、磁場の大きさと、磁場勾配の大きさとの積に比例して増大するので、効果的な捕捉を行うためには、磁場勾配の大きい磁石表層付近を利用する必要があるからである。
　　ｆ　∝　Ｈ・（ｄＨ／ｄｘ）　‥‥‥‥‥‥‥‥‥‥‥‥‥‥（１）
但し、ｆ：磁場による吸引力、Ｈ：磁場の強さ、ｄＨ／ｄｘ：磁場勾配。
　【０００８】
　【発明が解決しようとする課題】
　上記免疫分析装置において、従来の磁場スイッチング手段は、磁石の軸方向、すなわち吸引方向、に磁石を移動させ、磁場捕捉部位に接近させる機構を有している。このような構造の場合、特に動作方向に対して機械的誤差が生じ易く停止位置の変動が大きい。また接近・離脱を繰り返すうちに機構部品の疲労により、長期的に見て停止位置の変動が発生する。従来技術の説明でも述べたが、磁石近傍では磁場勾配の変化が激しいため、磁石の停止位置の変動が僅かであっても、磁性粒子に働く吸引力は大幅に変化し、そのため捕捉される速さや位置などが変動する。これらの変動は、一定時間の下での総捕捉量に誤差を生じせしめ、計測精度の悪化をもたらす。発明者らの検討によれば、磁石の位置が流路から僅か０．５ｍｍ離れるだけで、内部壁面での磁場による吸引力は２割程度も減少する。
このように、上記従来技術は、分析の再現性に対する配慮に全く欠けていた。
　【０００９】
　さらに別の問題点として、従来の磁場スイッチング手段では、磁石の停止位置が固定されているため、磁性粒子は捕捉部位に山状に厚く堆積する。このような状態では、捕捉開始時に捕捉された下層の磁性粒子が磁場を弱めるため、その後に吸引されてくる磁性粒子への吸引力が低下する。また、壁面に磁性粒子を付着させた状態で励起光を照射し、蛍光を発生させて、計測を行う場合、層の厚い部分の下側の磁性粒子からの蛍光が、十分に外側に出てこなくなり、蛍光強度の低下を招く。これらはいずれも計測精度に甚大な影響を及ぼす。
　【００１０】
　以上のように従来の化学分析装置では、磁場のスイッチング手段として、磁石をその軸方向、すなわち容器や流路に対して垂直に接近させるため、磁性粒子の捕捉量の変動および捕捉位置の変動が発生し、計測精度の低下を招くという問題があった。また、捕捉分布の不均一さから、効果的な捕捉が行われなかったり、蛍光強度が低下することによって、計測精度の低下を招くという問題があった。
　【００１１】
　本発明の目的は、上記問題点に鑑み、捕捉の為の磁石停止位置の高精度化を図り、磁性粒子の捕捉量、捕捉位置の変動および捕捉分布の不均一さを解決するための磁場スイッチング手段を備えた化学分析装置を提供することである。
　【００１２】
　【課題を解決するための手段】
　上記の課題は以下のように解決される。
　請求項１記載発明は、容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する磁石が、前記結合体を捕捉する前記容器または流路の捕捉部位に沿ってスライドするように近接する磁場スイッチング手段を設けたことを特徴とするものである。
　このような構成を採用したことにより、試料と磁性粒子を含んだ試薬の反応が終了した後、それらの試料液を入れた反応容器に、磁場スイッチング手段が動作して、磁石は、磁石の軸（吸引）方向に対して垂直な平面内を移動し、捕捉部位の容器表面に沿って、平行にスライドするように近接して停止する。この磁石が作り出す磁場によって、磁性粒子と目的成分との結合体は捕捉部位に引き寄せられ捕捉される。なお、容器の代わりに流路であっても同様に捕捉される。
　このとき、本発明によれば、磁石移動手段の位置決め誤差の生じる方向と、磁石の軸（吸引）方向が異なるため、容器あるいは流路内の機構系に依存する磁場の変動は、従来のように、捕捉部位に垂直に磁石の軸を向けて接近する機構に比べると、著しく減少するので、捕捉量あるいは捕捉位置の変動が小さくなり、その結果、計測精度が向上する。
　また、請求項２記載発明は、前記磁場スイッチング手段は、前記容器あるいは流路の側面に前記磁石を近接させる際、前記捕捉部位に沿って前記磁石を走査させる移動手段を備えたことを特徴とし、それにより、磁性粒子の捕捉位置が走査方向に沿って順に変わっていくため、平坦な捕捉分布を得ることができ、計測精度の向上する。
　また、請求項３記載発明は、前記磁場スイッチング手段は、前記磁石を回転円盤体の一部に取り付け、前記磁石の吸引方向が回転軌跡面に対して垂直になるようにして、前記磁石の回転軌跡上に前記捕捉部位を位置させることを特徴とし、それにより、回転円盤体を回転すると、円周上に取り付けた磁石が吸引方向を捕捉部位に垂直にしたまま、捕捉部位に沿って平行にスライドするように捕捉部位に近接する。したがって、簡単な構成で、上記請求項１記載発明と同様の作用効果を生じる。
　また、請求項４記載発明は、前記回転円盤体の回転駆動手段が、表面波回転モータであることを特徴とし、それにより、円周部の軸方向の位置が常に固定されており、磁石の吸引方向の変動を小さく抑制でき、高速回転が可能であるとともに停止位置決め精度もよく、また、小型化にも適している。
　また、請求項５記載発明は、前記磁石の回転軌跡上に、前記磁性粒子を含む液を連通させる複数の流路が配置されていることを特徴とし、これにより、回転円盤体を回転させることによって、複数の流路を順次分析できるので、分析効率が向上する。
　また、請求項６記載発明は、前記回転円盤体は、前記磁石と軸対象の位置に透光用の穴が設けられていることを特徴とし、それによって、円盤体を回転して穴を捕捉部位に位置させることにより、例えば、結合体に照射した励起光により発光する蛍光を、この穴から計測できる。
　また、請求項７記載発明は、容器または流路内の試料に、磁性粒子を有する試薬を供給し、前記試料中の目的成分と前記磁性粒子とを結合させてできた結合体を、前記容器または流路の一部に磁石により吸引して捕捉し、捕捉した結合体を分析することにより、前記目的成分を定性または定量する化学分析装置において、前記結合体を吸引する第１の磁石が、前記結合体を捕捉する前記容器または流路の捕捉部位に沿ってスライドするように近接する第１の磁場スイッチング手段を設け、前記第１の磁場スイッチング手段は、第１の磁石を第１の回転円盤体の一部に取り付け、第１の磁石の吸引方向が回転軌跡面に対して垂直になるようにして、第１の磁石の回転軌跡上に前記捕捉部位を位置させるとともに、前記捕捉部位を挟んで第１の回転円盤体と反対側に第２の回転円盤体を設け、第２の回転円盤体に第１の磁石の回転軌跡と同一円周上でかつ異なる円周位置で第２の磁石を設け、これら第１および第２の回転円盤体を同軸で回転駆動させることにより、第１の磁石で捕捉した結合体を第２の磁石により捕捉部位から離脱させることを特徴とする。
　このような構成により、上記請求項１記載発明の作用効果を有するほか、第１の磁石で結合体を捕捉した後、第１の円盤体を回転させて第１の磁石を捕捉部位から離脱させると、第２の円盤体も同時に回転し、第２の磁石を捕捉部位の反対側に位置させて、捕捉部位から結合体を離すことができ、分析処理速度を向上させることができる。
　また、請求項８記載発明は、前記磁場スイッチング手段は、前記磁石を平行移動台に取り付け、前記磁石の吸引方向が前記平行移動台の移動方向に対して垂直になるようにして、前記磁石の平行移動する軌跡上に前記捕捉部位を位置させることを特徴とするものである。このような構成によっても、磁石移動手段の位置決め誤差の生じる方向と、磁石の軸（吸引）方向が異なるため、容器あるいは流路内の機構系に依存する磁場の変動は、従来のように、捕捉部位に垂直に磁石の軸を向けて接近する機構に比べると、著しく減少するので、捕捉量あるいは捕捉位置の変動が小さくなり、その結果、計測精度を向上させることができる。
　また、請求項９記載発明は、前記磁場スイッチング手段に対して、前記磁性粒子を含む液を連通させる複数の流路が設けられ、前記複数の流路は、各流路の磁性粒子捕捉部位が、前記磁石の平行移動経路上に位置するように配置されていることを特徴とし、これによって、複数の流路を順次あるいは同時に分析することが可能になり、分析効率を向上させることが可能になる。
　また、請求項１０記載発明は、前記磁石により捕捉した結合体の分析は、比濁法、蛍光法、化学発光、電気化学発光等のうちいずれかの分析方法により、前記目的成分を定性または定量することを特徴とし、これらいずれの分析方法を採用しても、磁石を吸引方向を捕捉部位に向けながら、捕捉部位に沿って平行にスライドするように近接させて、計測精度を向上させることができるので、汎用性のある高精度な化学分析装置が得られる。
　【００１３】
　【発明の実施の形態】
　以下、本発明の実施の形態を、図１〜図１０を参照して説明する。
　図１は、本発明の化学分析装置の実施形態の一例で、免疫反応を用いて目的とする成分の濃度を定量する免疫分析装置の構成図、図２は、本発明の磁場スイッチング装置の一例を示し、（ａ）が平面の、（ｂ）が側面の構成図である。図３は、本発明の別の化学分析装置の構成図、図４は、図３の化学分析装置に用いられる磁場スイッチング装置の一例を示し、（ａ）が平面の、（ｂ）が側面の構成図である。図５は、（ａ）が図４の磁場スイッチング装置の動作例を、（ｂ）がその効果を説明する図、図６は、本発明における別の磁場スイッチング装置を示し、（ａ）が平面の、（ｂ）が側面の構成図、図７は、本発明における別の磁場スイッチング装置を示し、（ａ）が平面の、（ｂ）が側面の構成図、図８は、本発明の化学分析装置において、複数の磁性粒子捕捉用の流路を有する実施形態の一例を示す構成図、図９および図１０は、それぞれ磁場スイッチング装置の別の実施形態を示し、それぞれ（ａ）が平面を、（ｂ）が側面を示す構成図である。
　【００１４】
　まず、図１および図２を用いて、本発明の化学分析装置の一実施形態の構成を説明する。
　これらの図に示すように、測定成分を含む試料１３を、試薬１２と混合・反応させるための複数の反応容器１４が、一列に周状に連鎖して設けられている。これらの反応容器１４の列は、容器駆動装置１５と接続されている。反応容器１４の周回上には、順に、試料供給装置１６、試薬供給装置１７、希釈液供給装置１８、計測部１９、反応容器洗浄装置２０が設けられ、これらの装置は制御部２１と接続されている。希釈液供給装置１８の位置では、磁性粒子吸引用の磁場スイッチング装置２２が、反応容器１４の下部になるよう配置されている。計測部１９は、励起光源１９ａと蛍光検知器１９ｃとから成り、励起光源１９ａは反応容器１４の下部に配置され、蛍光検知器１９ｃは反応容器１４の側方に設けられている。
　【００１５】
　次に図２を用いて、磁場スイッチング装置２２の構成を説明する。
　磁場スイッチング装置２２は、超音波モータ２２ａ、および超音波モータの回転面に接続された円盤２２ｂと、円盤２２ｂの円周上に設けられた永久磁石２３とから成り、その駆動は制御部２１によってコントロールされる。磁石２３は、その軸が、つまり吸引方向が、円盤２２ｂと垂直になるように設けられている。磁場スイッチング装置２２は、円盤２２ｂの回転に伴って、図では、磁石２３の上面が容器の壁面に滑りながら接触するように、反応容器１４に対し配置されている。
　【００１６】
　以上の構成による本免疫分析装置は、以下のように動作する。
　まず、試料供給装置１６が動作して、所定量の試料を反応容器１４に分注する。容器駆動装置１５が動作して、反応容器１４を、次の試薬供給装置１７の設けられている位置へ移動させる。試薬供給装置１７は、所定量の試薬１２を、試料１３の入った反応容器１４に分注する。試薬１２は、抗体をその周りにコーティングした磁性粒子１１、および蛍光色素と結合した抗体（発光標識）から成り、反応容器１４の中では、試料１３内の目的成分を架橋として、磁性粒子と発光標識とがリンクした結合体１１ａが生成される。
　【００１７】
　容器駆動手段１５は、反応が終了した反応容器１４を、次に希釈液供給装置１８の位置に移動させる。この位置では磁場スイッチング装置２２が動作して、反応容器１４に磁石２３を接触させ、磁場を容器１４内の結合体１１ａに働かせる。結合体１１ａには、磁石２３に向かって吸引力が働き、反応容器１４の底の一部に捕捉される。磁石２３はそのままに、希釈液供給装置１８が動き、捕捉された結合体以外の反応容器中の試料・試薬を全て吸引して排出する。この操作によって試料中の目的成分と結合していない発光標識は取り除かれる。
　【００１８】
　次に、磁場スイッチング装置２２が動作して、磁石２３を反応容器１４の底部から離脱させた後に、希釈液が反応容器１４に加えられ、所定量に希釈される。再び容器駆動手段１５が動作して、反応容器１４を次の計測部１９に移動させる。計測部１９では、反応容器１４内の希釈液に対して、下方の励起光源１９ａから励起光が照射され、希釈液中の発光標識をつけた結合体からは蛍光が発生する。この蛍光強度を容器１４の側方に設けた蛍光検知器１９ｃが捉え、信号処理して、目的成分の濃度を求める。計測が終了すると、再び容器駆動装置１５が動作して容器１４を反応容器洗浄装置２０の位置に移動させ、中の希釈液を吸引し、洗浄液にて繰り返し洗浄をする。洗浄が終わった反応容器１４は再び容器駆動装置１５にて、初期の試料供給装置１６の位置に移される。以上の動作は連結した各反応容器に対し、シーケンシャルに行われる。
　【００１９】
　次に、図２により、磁場スイッチング装置２２の動作について説明する。
　磁石２３は、回転円盤２２ｂの周上で、容器１４との接触位置から最も離れた位置に停止しており、移動する反応容器１４内の希釈液に磁場を作用させないようになっている。反応容器１４が希釈液供給装置１８の位置に移動してくると、制御部２１からの信号により超音波モータ２２ａが動作し、すばやく磁石２３の上面を反応容器１４の底へ滑らせながら移動させ、捕捉部位の直下位置で停止させる。結合体の捕捉が終了し、余分の蛍光標識が取り除かれた段階で、再び超音波モータ２２ａが動作して、磁石２３を回転させて反応容器１４の下部から離脱させる。
　【００２０】
　以上の動作から明らかなように、磁石２３の接近・離脱が、磁石２３の軸方向（吸引方向）と垂直な平面内で行われるため、軸方向への機械的誤差や変動が少ない。したがって、回転に伴う容器中の磁場の変動は小さく、捕捉量、捕捉位置などの変動も抑えられるため、安定な計測精度が確保される。
　【００２１】
　上記実施形態で、超音波モータ２２ａを用いるのは、超音波モータは圧電体リングに生じる表面波を利用して回転させるため、円周部の軸方向の位置が常に固定されており、磁石２３の軸方向の変動を非常に小さく抑えることができることと、さらに高速回転が可能な一方、停止位置決め精度もよいためである。また、構造が簡単なので小型化に適しているためである。当然ながら、この超音波モータに代わって通常のモータを利用してもよい。
　【００２２】
　次に、図３、図４を用いて、本発明の別の実施形態を説明する。
　反応容器１４の配置、容器駆動装置１５、試料供給装置１６、試薬供給装置１７は、図１に示した実施形態と同じである。本分析装置では、試薬供給装置１７の次に、反応試料を吸引するための反応試料吸引装置２４が設けられている。吸引装置にはフローセル２５が流路２６を介して接続されている。図２で説明した磁場スイッチング装置２２は、図４に示すように、円盤の回転に伴って、磁石２３の上面がフローセル２５の壁面に滑りながら接触するように、フローセル２５に対し配置されている。フローセル２５の側方には蛍光標識の励起光源１９ａが配置されており、別の側には、その蛍光量を測定するための蛍光検知器１９ｃが設けられている。なお、図中の符号２３ａは磁石２３による磁力線である。
　【００２３】
　本実施形態は、以上の構成により、以下のように動作する。
　反応が終了し、目的成分、蛍光標識、磁性粒子がリンクした結合体１１ａを含んだ試料を、反応試料吸引装置２４が動作して所定量吸引する。反応試料は、同時に流路２６を介して、フローセル２５中に導入される。その際、磁場スイッチング装置２２が動作して、磁石２３がフローセル２５の壁面に滑りながら移動して捕捉部位に停止しているため、結合体１１ａはフローセル壁面に捕捉される。磁性粒子と結合していない蛍光標識は、流れとともにフローセル２５から排出されるため、フローセル壁面には目的成分の量に相当する結合体のみが捕捉される。この状態で励起光源１９ａを照射すると、蛍光を発する。蛍光検知器１９ｃで、この蛍光強度を計測することで、成分の定量を行う。磁場スイッチング装置は、図１の実施形態と同様に、フローセルの壁面に、流路方向にスライドするように、滑りながら移動するので、高精度な位置決めが可能になり、捕捉量や捕捉位置の変動を抑えることができ、計測精度が向上する。
　【００２４】
　さらに、図５の（ａ）に示すように、磁石２３をフローセル２５の捕捉部位に停止したのち、ゆっくりと、下流側に走査することで、１カ所に集中して捕捉され山状に分布する結合体を、図５の（ｂ）に示すように、薄く広く平坦に捕捉することができる。こうすることで何層にも積もるように捕捉されることはなくなり、上の結合体が下の結合体の蛍光透過のじゃまをすることがなくなる。したがって十分な蛍光強度を得ることができ、計測精度の向上に寄与する。図５では、磁石を等速で走査する例を示したが、数カ所で停止しながら移動しても同様の効果が得られる。また意図的に捕捉分布を制御することも可能である。例えば、照射光源の強度分布などに偏りがある場合など、強度の強いところに多く捕捉させ、弱い部分には捕捉量を抑えるなどして計測精度を向上させることが可能である。
　【００２５】
　図６は、図１、図３の化学分析装置に搭載の磁場スイッチング装置の別の実施形態を示す図で、（ａ）は平面の、（ｂ）は側面の構成図である。
　本装置は、リニア移動手段２２ｃ、および可動部２２ｄ、さらに可動部上には磁石２３が設けられている。本磁場スイッチング装置では、リニア移動手段２２ｃにより、磁石２３を容器１４の底部の磁性粒子捕捉部位に平行移動させて磁場を働かせる。本実施形態においても、図２、図４で説明したのと同様に、磁石２３が容器の底面に沿ってスライドしながら移動するので、磁石の軸方向の機械的誤差・変動は少ない。したがって、移動に伴う容器中の磁場の変動は小さく、捕捉量、捕捉位置などの変動も抑えられるため、安定な計測精度が確保される。
　【００２６】
　図７は、図６と同様に、図１および図３の化学分析装置に搭載の磁場スイッチング装置の別の実施形態を示す図で、（ａ）は平面の、（ｂ）は側面の構成図である。
　本装置は、磁石２３をその外周に設けた回転ドラム２２ｅ、および回転ドラム２２ｅの軸に取り付けられている回転モータ２２ｆからなる。磁石２３は、その吸引方向がドラム２２ｅの半径方向と平行になるように設けられ、フローセル２５の流路方向に沿ってスライドするように接近する。本実施形態においても、図２、図４のものと同様に、磁石が流路方向に沿って平行にスライドしながら接近する構成なので、磁石の軸方向の機械的誤差・変動が少ない。したがって、移動に伴う容器中の磁場の変動は小さく、捕捉量、捕捉位置などの変動も抑えられるため、安定な計測精度が確保される。
　【００２７】
　図８は、本発明の別の化学分析装置の実施形態を示す図である。
　反応容器１４の配置、容器駆動装置１５、試料供給装置１６、試薬供給装置１７は、図３に示した実施形態と同じであるが、計測用のフローセルが２つ（第１フローセル２５ａおよび第２フローセル２５ｂ）設けられている。それに応じて反応試料吸引装置（第１反応試料吸引装置１８ａおよび第２反応試料吸引装置１８ｂ）、およびそれに連結された流路（第１流路２６ａおよび第２流路２６ｂ）、さらに照射光源（第１励起光源１９ａおよび第２励起光源１９ｂ）、蛍光検知器（第１蛍光検知器１９ｃおよび第２蛍光検知器１９ｄ）等が、各系に一つづつ設けられている。
　【００２８】
　２つのフローセル２５ａ、２５ｂは、磁場スイッチング装置２２の磁石の回転軌跡上で１８０度隔てた位置に平行して設けられている。本装置の動作は、図３の実施形態とほぼ同じであるが、交互に反応試料をフローセル２５ａ、２５ｂに供給する。磁場スイッチング装置２２は一つで、１８０度回転する度に磁性粒子の捕捉を各々のフローセルで交互に行う。そのため通常の倍の速度でテストを行うことができる。
　【００２９】
　次に、図９を用いて別の実施形態について述べる。
　本実施形態は、基本的な構成および動作は図４で説明した実施形態と同じである。図９の（ａ）および（ｂ）に示すように、磁場スイッチング装置２２では、超音波モータ２２ａと同軸上で、フローセル２５を上から挟み込むような回転円盤２２ｇを設けている。また、その回転円盤２２ｇの円周上に、磁石２３ｂと蛍光を通すための穴２３ｃとが、１８０度対象な位置に設けられている。穴２３ｃの位置は、下方の円盤２２ｂに設けられた磁石２３の直上に設けられている。
　【００３０】
　蛍光計測が終了した後、超音波モータ２２ａの回転に伴い、円盤２２ｂ上の磁石２３は捕捉部位の外壁から離れる。円盤２２ｂを１８０度回転した時点でモータを停止すると、上部回転円盤２２ｇに設けられた磁石２３ｂがフローセルの捕捉部位上方に位置しているため、磁石２３ｂの磁力により、磁性粒子とリンクした結合体は速やかに下部壁面から離脱する。本実施形態によれば、図４に示したものと同様の作用効果を有するほかに、迅速にフローセル内の結合体を矧がして、次の試料の導入に備えることができるので、単位時間あたりのテスト速度（処理速度）を向上させることができる。またフローセルに残留して、次のテストと混合する粒子数を少なくすることができ、測定精度の向上を図ることができる。
　【００３１】
　次に、図１０により別の実施形態について説明する。
　本実施形態の磁場スイッチング装置２２は、図４で説明した磁場スイッチング装置と基本的な構成、および動作は同じである。図４の装置に加えて、図１０の（ａ）および（ｂ）に示すように、フローセル２５の下方への蛍光も検知するために、下方にも蛍光検知器１９ｅが設けられている。また下方に蛍光を通すために、回転円盤２２ｂの磁石を設けた位置から１８０度離れた位置に、光を通過させるための下部蛍光通過穴２３ｃが設けられている。なお、図中、フローセル２５の上方には上部蛍光検知器１９ｆが、また、側方には励起光源１９ａが設けられている。本実施形態によれば、結合体の捕捉が終了した後、円盤２２ｂは１８０度回転し、穴２３ｃをフローセル２５の捕捉部位の下部に位置させる。こうすることで下方への蛍光も検知することが可能となり、計測精度の向上を図ることが容易となる。
　【００３２】
　【発明の効果】
　以上説明したように本発明の化学分析装置によれば、磁石停止位置の高精度位置決めが可能となり、磁性粒子の捕捉量、捕捉位置の変動を抑え、再現性に優れた高精度な計測が可能な化学分析装置を提供することができる。また、捕捉分布の均一化を図ることができ、高感度な計測が可能な化学分析装置を提供することができる。
【図面の簡単な説明】
　【図１】
　本発明の第１の実施形態である化学分析装置の構成を示す斜視図である。
　【図２】
　図１に示す化学分析装置に搭載されている磁場スイッチング装置の一例を示す図で、（ａ）が平面の、（ｂ）が側面の構成図である。
　【図３】
　本発明の第２の実施形態である化学分析装置の構成を示す斜視図である。
　【図４】
　図３に示す化学分析装置に搭載されている磁場スイッチング装置の一例を示す図で、（ａ）が平面の、（ｂ）が側面の構成図である。
　【図５】
　図４で示した磁場スイッチング装置について、（ａ）が動作例を、（ｂ）がその効果を説明する図である。
　【図６】
　化学分析装置に搭載される磁場スイッチング装置の別の実施形態を示す図で、（ａ）が平面の、（ｂ）が側面の構成図である。
　【図７】
　化学分析装置に搭載される磁場スイッチング装置の別の実施形態を示す図で、（ａ）が平面の、（ｂ）が側面の構成図である。
　【図８】
　本発明の第３の実施形態である化学分析装置の構成を示す斜視図である。
　【図９】
　化学分析装置に搭載される磁場スイッチング装置の別の実施形態を示す図で、（ａ）が平面を、（ｂ）が側面を示す構成図である。
　【図１０】
　化学分析装置に搭載される磁場スイッチング装置の別の実施形態を示す図で、（ａ）が平面を、（ｂ）が側面を示す構成図である。
　【図１１】
　化学分析装置に搭載されている磁場スイッチング装置の従来例を示す構成図である。
　【図１２】
　化学分析装置に搭載されている磁場スイッチング装置の従来例を示す構成図である。
　【符号の説明】
　１１　磁性粒子
　１１ａ　結合体
　１２　試薬
　１３　試料
　１４　反応容器
　１４ａ　流路
　１５　容器駆動装置
　１６　試料供給装置
　１７　試薬供給装置
　１８　希釈液供給装置
　１８ａ、１８ｂ　反応試料吸引装置
　１９　計測部
　１９ａ、１９ｂ　励起光源
　１９ｃ、１９ｄ、１９ｅ、１９ｆ　蛍光検知器
　２０　反応容器洗浄装置
　２１　制御部
　２２　磁場スイッチング装置
　２２ａ　超音波モータ
　２２ｂ　円盤
　２２ｃ　リニア移動手段
　２２ｄ　可動部
　２２ｅ　回転ドラム
　２２ｆ　回転モータ
　２２ｇ　回転円盤
　２３　永久磁石
　２３ａ　磁力線
　２３ｂ　磁石
　２３ｃ　穴
　２４　反応試料吸引装置
　２５、２５ａ、２５ｂ　フローセル
　２６、２６ａ、２６ｂ　流路
　３１、３２　磁石駆動機構